(57)【要約】【課題】通信内容に応じた適切な携帯端末装置の把持方向をユーザに促すことによって、より効率的な無線通信が可能な携帯端末装置を提供する。【解決手段】通信機能を有する携帯端末装置は、ディスプレイと、ディスプレイの上下方向のいずれか一方に配置された第１の通信アンテナと、ディスプレイを挟むように第１の通信アンテナに対向して配置された、音声を出力するためのレシーバと、携帯端末装置がレシーバから音声が出力される通信をするか否かを判断する通信判断部と、通信判断部の判断結果に基づいて、ディスプレイの表示画面の上下方向を切り替える表示制御部とを含む。【選択図】図６
2014045263.tif 000002
【特許請求の範囲】
【請求項１】
通信機能を有する携帯端末装置であって、
ディスプレイと、
前記ディスプレイの上下方向のいずれか一方に配置された第１の通信アンテナと、
前記ディスプレイを挟むように前記第１の通信アンテナに対向して配置された、音声を出力するためのレシーバと、
前記携帯端末装置が前記レシーバから音声が出力される通信をするか否かを判断する通信判断部と、
前記通信判断部の判断結果に基づいて、前記ディスプレイの表示画面の上下方向を切り替える表示制御部とを備える、携帯端末装置。
【請求項２】
前記表示制御部は、前記携帯端末装置が前記レシーバから音声が出力されない通信をする場合、前記表示画面の上方向が前記第１の通信アンテナ側になるように表示させる、請求項１に記載の携帯端末装置。
【請求項３】
現在の表示画面の上下方向を識別するための識別情報を格納する識別情報格納部をさらに備え、
前記表示制御部は、前記通信判断部の判断結果と前記識別情報とに基づいて、現在の表示画面の上下方向とは逆向きに表示画面の上下方向を切り替えると判断した場合、前記表示画面の上下方向を切り替えるとともにユーザに前記携帯端末装置の把持方向の変更を促すための情報を表示させる、請求項１または２に記載の携帯端末装置。
【請求項４】
初期画面の表示の上下方向を設定する設定部をさらに備え、
前記表示制御部は、設定された上下方向に従って前記初期画面を表示させる、請求項１〜３のいずれか１項に記載の携帯端末装置。
【請求項５】
前記ディスプレイを挟むように前記第１の通信アンテナに対向して配置された、送信電力が所定値未満である第２の通信アンテナをさらに備え、
前記携帯端末装置が前記第２の通信アンテナを介して通信する場合、前記表示制御部は、前記表示画面の下方向が前記第１の通信アンテナ側になるように表示させる、請求項１〜４のいずれか１項に記載の携帯端末装置。
【請求項６】
前記ディスプレイを挟むように前記第１の通信アンテナに対向して配置された、送信電力が所定値未満である第２の通信アンテナをさらに備え、
前記通信判断部は、前記携帯端末装置が前記第２の通信アンテナを介して前記レシーバから音声が出力される通信をするか否かをさらに判断し、
前記表示制御部は、前記携帯端末装置が前記第１または第２の通信アンテナを介して前記レシーバから音声が出力される通信をする場合には前記表示画面の下方向が前記第１の通信アンテナ側になるように表示させ、
前記表示制御部は、前記携帯端末装置が前記第１および前記第２の通信アンテナを介して前記レシーバから音声が出力されない通信をする場合には、予め定められた前記表示画面の上下方向の設定に従って表示させる、請求項１〜４のいずれか１項に記載の携帯端末装置。
【請求項７】
前記表示制御部は、前記携帯端末装置が前記レシーバから音声が出力される通信をする場合には前記表示画面の下方向が前記第１の通信アンテナ側になるように表示させる、請求項１〜６のいずれか１項に記載の携帯端末装置。
【請求項８】
通信機能を有する携帯端末装置の制御方法であって、
前記携帯端末装置は、ディスプレイと、前記ディスプレイの上下方向のいずれか一方に配置された第１の通信アンテナと、前記ディスプレイを挟むように前記第１の通信アンテナに対向して配置された、音声を出力するためのレシーバとを有し、
前記制御方法は、
前記携帯端末装置が前記レシーバから音声が出力される通信をするか否かを判断するステップと、
判断結果に基づいて、前記ディスプレイの表示画面の上下方向を切り替えるステップとを含む、携帯端末装置の制御方法。
【請求項９】
通信機能を有する携帯端末装置のコンピュータに実行させる制御プログラムであって、
前記携帯端末装置は、ディスプレイと、前記ディスプレイの上下方向のいずれか一方に配置された第１の通信アンテナと、前記ディスプレイを挟むように前記第１の通信アンテナに対向して配置された、音声を出力するためのレシーバとを有し、
前記制御プログラムは、前記コンピュータに、
前記携帯端末装置が前記レシーバから音声が出力される通信をするか否かを判断するステップと、
判断結果に基づいて、前記ディスプレイの表示画面の上下方向を切り替えるステップとを実行させる、携帯端末装置の制御プログラム。
【発明の詳細な説明】
【技術分野】
【０００１】
本発明は、無線通信を行なうための通信アンテナを含む携帯端末装置に関する。
【背景技術】
【０００２】
近年、携帯電話などの携帯端末装置が急速に普及しているが、その携帯端末装置から放射される電磁波が人体に対して影響を与えることが懸念されている。電磁波が人体に与える影響を評価するために、その電磁波の特性に関して指標が定められている。例えば、日本では、無線設備規則第１４条の２第１項に規定されているように、アンテナから放射される電波の人体頭部における比吸収率（（局所ＳＡＲ（Specific Absorption Rate））の許容値が２Ｗ／ｋｇ以下となっていなければならない。局所ＳＡＲとは、人体が電磁波にさらされることによって、任意の１０ｇ当たりの組織に６分間に吸収されるエネルギー量の平均値である。なお、ＳＡＲの許容値は国によって異なる。このような状況において、電磁波による人体への影響を考慮した以下のような技術が開示されている。
【０００３】
例えば、特開２００８−１１８６２５号公報（特許文献１）には、１以上のアンテナにより他の無線機器と通信する無線通信機能を有する携帯型情報機器の無線制御装置が開示されている。当該無線制御装置は、他の無線機器との間で無線送受信を行う無線通信モジュールと、無線通信モジュールの電波送受信と動作停止を制御する無線通信制御部とを含む。無線通信制御部は、操作者が人体の一部に触れる可能性の高い位置に配置したアンテナによる電波送信を停止するように制御する。
【０００４】
特開２００９−２８４５２５号公報（特許文献２）には、複数のアンテナを携帯端末装置が制御する方法が開示されている。当該制御方法は、表示部の表示方向に基づいて携帯端末装置の使用状況を判断する使用状況判断ステップと、使用状況判断ステップにおいて判断した使用状況に応じて、複数のアンテナのうち使用を中止するアンテナを決定する使用中止決定ステップと、使用中止決定ステップにおいて使用の中止を決定したアンテナの使用を中止する使用中止ステップとを含む。
【０００５】
また、携帯端末装置には、無線通信するためのアンテナが設けられているが、ユーザが装置本体を把持した際に手等の人体の一部がアンテナに触れてしまうと、アンテナ性能を劣化させてしまう可能性がある。そこで、このことを考慮した以下のような技術が開示されている。
【０００６】
例えば、特開２０１１−１５１６５８号公報（特許文献３）には、携帯無線機が開示されている。当該携帯無線機は、筐体と、筐体に設けられ接触検出部を有する表示部と、筐体に設けられた第１のアンテナ素子及び第２のアンテナ素子とを含む。表示部の接触検出部は、第１の検出領域及び第２の検出領域に２分割されている。第１の検出領域側に第１のアンテナ素子が設けられるとともに第２の検出領域側に第２のアンテナ素子が設けられている。第１の検出領域及び第２の検出領域は、第１のアンテナ素子及び第２のアンテナ素子に対応付けられている。携帯無線機は、表示部の接触検出部からの検出信号に基づいて第１のアンテナ素子と第２のアンテナ素子とを切替える。
【先行技術文献】
【特許文献】
【０００７】
【特許文献１】特開２００８−１１８６２５号公報
【特許文献２】特開２００９−２８４５２５号公報
【特許文献３】特開２０１１−１５１６５８号公報
【発明の概要】
【発明が解決しようとする課題】
【０００８】
しかしながら、特許文献１に開示された無線制御装置を含む携帯情報機器は、アンテナにユーザの手や体の一部を極力近づけない、または触れさせないようにすることについて開示されているものの、当該機器を利用して通話することについては触れられておらず、通話の際にユーザが当該機器を把持して耳に当該機器を近付けて利用する場合については考慮されていない。
【０００９】
特許文献２および３に開示された技術によると、複数のアンテナを設けるとともに、当該複数のアンテナを状況によって切り替える制御を実行する必要があり、装置のサイズが大きくなってしまう。
【００１０】
本発明は、上記のような問題を解決するためになされたものであって、通信内容に応じた適切な携帯端末装置の把持方向をユーザに促すことによって、より効率的な無線通信が可能な携帯端末装置、その制御方法、およびその制御プログラムを提供することを目的とする。
【課題を解決するための手段】
【００１１】
ある実施の形態に従うと、通信機能を有する携帯端末装置が提供される。携帯端末装置は、ディスプレイと、ディスプレイの上下方向のいずれか一方に配置された第１の通信アンテナと、ディスプレイを挟むように第１の通信アンテナに対向して配置された、音声を出力するためのレシーバと、携帯端末装置がレシーバから音声が出力される通信をするか否かを判断する通信判断部と、通信判断部の判断結果に基づいて、ディスプレイの表示画面の上下方向を切り替える表示制御部とを含む。
【００１２】
好ましくは、表示制御部は、携帯端末装置がレシーバから音声が出力されない通信をする場合、表示画面の上方向が第１の通信アンテナ側になるように表示させる。
【００１３】
好ましくは、現在の表示画面の上下方向を識別するための識別情報を格納する識別情報格納部をさらに含む。表示制御部は、通信判断部の判断結果と識別情報とに基づいて、現在の表示画面の上下方向とは逆向きに表示画面の上下方向を切り替えると判断した場合、表示画面の上下方向を切り替えるとともにユーザに携帯端末装置の把持方向の変更を促すための情報を表示させる。
【００１４】
好ましくは、初期画面の表示の上下方向を設定する設定部をさらに含む。表示制御部は、設定された上下方向に従って初期画面を表示させる。
【００１５】
好ましくは、携帯端末装置は、ディスプレイを挟むように第１の通信アンテナに対向して配置された、送信電力が所定値未満である第２の通信アンテナをさらに含む。携帯端末装置が第２の通信アンテナを介して通信する場合、表示制御部は、表示画面の下方向が第１の通信アンテナ側になるように表示させる。
【００１６】
好ましくは、ディスプレイを挟むように第１の通信アンテナに対向して配置された、送信電力が所定値未満である第２の通信アンテナをさらに含む。通信判断部は、携帯端末装置が第２の通信アンテナを介してレシーバから音声が出力される通信をするか否かをさらに判断する。表示制御部は、携帯端末装置が第１または第２の通信アンテナを介してレシーバから音声が出力される通信をする場合には表示画面の下方向が第１の通信アンテナ側になるように表示させる。表示制御部は、携帯端末装置が第１および第２の通信アンテナを介してレシーバから音声が出力されない通信をする場合には、予め定められた表示画面の上下方向の設定に従って表示させる。
【００１７】
好ましくは、表示制御部は、携帯端末装置がレシーバから音声が出力される通信をする場合には表示画面の下方向が第１の通信アンテナ側になるように表示させる。
【００１８】
別の実施の形態に従うと、通信機能を有する携帯端末装置の制御方法が提供される。携帯端末装置は、ディスプレイと、ディスプレイの上下方向のいずれか一方に配置された第１の通信アンテナと、ディスプレイを挟むように第１の通信アンテナに対向して配置された、音声を出力するためのレシーバとを有する。制御方法は、携帯端末装置がレシーバから音声が出力される通信をするか否かを判断するステップと、判断結果に基づいて、ディスプレイの表示画面の上下方向を切り替えるステップとを含む。
【００１９】
さらに別の実施の形態に従うと、通信機能を有する携帯端末装置のコンピュータに実行させる制御プログラムが提供される。携帯端末装置は、ディスプレイと、ディスプレイの上下方向のいずれか一方に配置された第１の通信アンテナと、ディスプレイを挟むように第１の通信アンテナに対向して配置された、音声を出力するためのレシーバとを有する。制御プログラムは、コンピュータに、携帯端末装置がレシーバから音声が出力される通信をするか否かを判断するステップと、判断結果に基づいて、ディスプレイの表示画面の上下方向を切り替えるステップとを実行させる。
【発明の効果】
【００２０】
以上によると、通信内容に応じた適切な携帯端末装置の把持方向をユーザに促すことによって、より効率的な無線通信が可能となる。
【図面の簡単な説明】
【００２１】
【図１】実施の形態１に従う携帯端末装置の外観を示す模式図である。
【図２】実施の形態１に従う携帯端末装置の動作概要を説明するための図である。
【図３】実施の形態１に従う携帯端末装置の他の動作例を説明するための図である。
【図４】実施の形態１に従う携帯端末装置のハードウェア構成を示すブロック図である。
【図５】実施の形態１に従う携帯端末装置の機能ブロック図である。
【図６】実施の形態１に従う携帯端末装置が実行する表示処理手順を示すフローチャートである。
【図７】実施の形態２に従う携帯端末装置の外観を示す模式図である。
【図８】実施の形態２に従う携帯端末装置の動作概要を説明するための図である。
【図９】実施の形態２に従う携帯端末装置のハードウェア構成を示すブロック図である。
【図１０】実施の形態２に従う携帯端末装置の主な機能構成を示すブロック図である。
【図１１】実施の形態２に従う携帯端末装置が実行する表示処理手順を示すフローチャートである。
【発明を実施するための形態】
【００２２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２３】
［１．実施の形態１］
＜Ａ．概要＞
まず、本発明の実施の形態１に従う携帯端末装置１０の全体構成および動作概要について説明する。
【００２４】
（ａ１．全体構成）
実施の形態１に従う携帯端末装置１０の全体構成について説明する。
【００２５】
図１は、実施の形態１に従う携帯端末装置１０の外観を示す模式図である。以下の説明では、携帯端末装置１０がスマートフォンである場合について説明する。但し、携帯端末装置１０は、種類を問わず任意の装置として実装可能である。例えば、携帯端末装置１０は、携帯電話、タブレット端末装置、ＰＤＡ（Personal  Digital  Assistance）などとして実現することもできる。
【００２６】
図１を参照して、携帯端末装置１０は、表示部としてのディスプレイ１４０と、ユーザによってディスプレイ１４０にタッチ入力された位置を検出可能なタッチパネル１２０と、各種の操作を行なうためのボタン１３０と、通話の際に音声を出力するレシーバ１６０と、移動体通信網に接続するための通信アンテナ１８２とを含む。
【００２７】
ディスプレイ１４０は、例えば、液晶ディスプレイあるいは有機ＥＬ（Electro-Luminescence）ディスプレイであり、アプリケーションのコンテンツやデータなどが表示される。ディスプレイ１４０には透明なタッチパネル１２０が取り付けられており、ユーザのタッチ操作に基づく各種の指示を受け付けることが可能である。
【００２８】
レシーバ１６０は、基本的に、図１のように携帯端末装置１０本体（筐体）の上部に配置される。換言すると、ディスプレイ１４０の上方向（＋Ｙ方向）に配置される。これは、ユーザが携帯端末装置１０を把持し耳に当てながら通話するハンドセット通話時には、基本的に筐体の下部を把持し、レシーバ１６０に耳を近付けて電話することが通常であるためである。また、ボタン１３０は、ユーザが操作しやすいように筐体の下部に配置される。
【００２９】
これに対して、通信アンテナ１８２は、ディスプレイ１４０の下方向（−Ｙ方向）に配置される。すなわち、レシーバ１６０と通信アンテナ１８２とは、互いにディスプレイ１４０を挟むように対向して配置される。このように通信アンテナ１８２が配置されているのは、移動体通信網に接続するための通信アンテナ１８２は、送信電力が比較的大きいためである。より具体的には、ハンドセット通話時において、ユーザがレシーバ１６０を耳に近付けた際に、通信アンテナ１８２から放射される電磁波による人体への影響を抑制するためである。また、通信アンテナ１８２は、基本的には、携帯端末装置１０の筐体内部に配置される。なお、通信アンテナ１８２の送信電力は、一般的な移動体通信網に接続するために必要な程度のものである。
【００３０】
（ａ２．動作概要）
次に、実施の形態１に従う携帯端末装置１０の動作概要について説明する。
【００３１】
図２は、実施の形態１に従う携帯端末装置１０の動作概要を説明するための図である。
図２を参照して、ユーザが筐体の下部を把持しており、ディスプレイ１４０にホーム画面が表示されている（図２（ａ））。ホーム画面とは、スマートフォンでいうところの待ち受け画面、ＰＣ（Personal Computer）でいうところのデスクトップ画面に相当し、すべての操作の基本となる画面である。ここで、表示画面に表示されている顔画像から、表示画面の上下方向は、上方向がレシーバ１６０側であり、下方向が通信アンテナ１８２側になっていることがわかる。これは、上述したように、ユーザは、通常、ハンドセット通話時には、筐体の下部を把持し筐体の上部に配置されたレシーバ１６０に耳を当てて通話するためである。以下では、表示画面の上方向がレシーバ１６０側であり、表示画面の下方向が通信アンテナ１８２側になっている場合の表示画面の表示方式を「表示方式Ａ」とも称す。
【００３２】
また、図２（ａ）の状態においては、ユーザの手が通信アンテナ１８２の近傍に位置していることがわかる。図２（ａ）の状態から、例えば、携帯端末装置１０は、レシーバ１６０から音声が出力される通信（ハンドセット通話など）をする場合には、後述する図２（ｃ）とは異なり表示画面の上下方向を維持する（切り替えない）。ユーザは、表示画面が視認方向に対して適した方向になっているため、把持方向を変更することなく、そのままレシーバ１６０に耳を近づける（図２（ｂ））。
【００３３】
一方、図２（ａ）の状態から、例えば、携帯端末装置１０は、レシーバ１６０から音声が出力されない通信（コンテンツのダウンロードなど）をする場合には、携帯端末装置１０は、表示画面の上下方向を切り替える（図２（ｃ））。ここで、表示画面に表示されている顔画像から、ユーザの把持方向（視認方向）に対して顔画像が逆向きになっていることがわかる。より具体的には、表示画面の上方向が通信アンテナ１８２側であり、表示画面の下方向がレシーバ１６０側になっている。以下では、このような場合の表示画面の表示方式を「表示方式Ｂ」とも称する。
【００３４】
次に、ユーザは、顔画像（表示画面）が視認方向に対して適した方向になるように携帯端末装置１０を持ち替える（図２（ｄ））。すなわち、ユーザは、携帯端末装置１０の把持方向を変更する。図２（ｄ）の状態においては、図２（ａ）の状態とは異なり、ユーザの手は通信アンテナ１８２から離れた場所に位置していることがわかる。この状態では、通信アンテナ１８２から放射される電磁波の人体への吸収を軽減することができるため、通信アンテナ１８２の性能劣化を抑制することができる。換言すると、携帯端末装置１０は、より効率的に通信することができる。
【００３５】
上記のように、携帯端末装置１０は、ハンドセット通話のように、レシーバ１６０から音声が出力される通信をする場合には、ユーザの利便性を考慮して表示画面の上下方向を切り替えない（切り替えるとユーザの混乱を招く恐れがあるため）。なお、レシーバ１６０から音声が出力される通信をする場合とは、例えば、携帯端末装置１０が、レシーバ１６０から音声が出力される設定がされた状態で通話用のアプリケーションを起動した場合、音声アプリケーションの起動中または通話中にレシーバ１６０から音声が出力されるように設定した場合などである。すなわち、携帯端末装置１０が、これからレシーバ１６０から音声が出力される通信をすることが想定されるような場合も含む。
【００３６】
これに対して、携帯端末装置１０は、コンテンツのダウンロード等のように、レシーバ１６０から音声が出力されない通信をする場合には、表示画面の上下方向を切り替える。なお、レシーバ１６０から音声が出力されない通信をする場合とは、携帯端末装置１０が例えば、レシーバ１６０ではなくスピーカから音声が出力されるハンズフリー通話機能を実行する場合、レシーバ１６０から音声が出力されないアプリケーション(ブラウザ、ストリーミング再生用)を起動した場合などである。すなわち、携帯端末装置１０が、これからレシーバ１６０から音声が出力されない通信をすることが想定されるような場合も含む。
【００３７】
上記のように、携帯端末装置１０は、レシーバ１６０の利用の有無に応じて、表示画面を切り替えてユーザに携帯端末装置１０を適切に把持させるように促す。したがって、ユーザの利便性を考慮しつつ、通信アンテナ１８２の特性を生かした効率的な通信が可能となる。
【００３８】
次に、実施の形態１に従う携帯端末装置１０の動作概要について他の例を提示してさらに説明する。
【００３９】
図３は、実施の形態１に従う携帯端末装置１０の動作概要をさらに説明するための図である。
【００４０】
図３（ａ）には、データのダウンロードをしている状態（レシーバ１６０から音声が出力されない通信状態）が示されている。これは、ホーム画面（表示方式Ａ）から表示画面の上下方向が切り替えられることで（表示方式Ｂ）、ユーザが携帯端末装置１０を逆に持ち替えている状態である。なお、ユーザは、ホーム画面として、表示方式Ａではなく表示方式Ｂを予め設定しておくこともできる。当該設定は、レシーバ１６０を介した音声通話をあまり利用せず、ブラウザによるウェブページ閲覧やコンテンツのダウンロード等を中心に利用するユーザにとって有用である。
【００４１】
図２（ａ）の状態から、レシーバ１６０から音声が出力される設定になっている場合に、外部から着信があり、通話用のアプリケーションが起動した状態を示している。このとき、携帯端末装置１０は、レシーバ１６０から音声が出力される通信をすることが想定されるため、表示画面の上下方向を切り替える（図２（ｂ））。
【００４２】
また、上記のように、携帯端末装置１０は、図２（ａ）の状態（表示方式Ｂ）から図２（ｂ）の状態（表示方式Ａ）になるように、表示画面の上下方向を切り替える場合には、ユーザに筐体の把持方向を持ち替えるように促す情報（例えば、「持ち替えて下さい」といったテキスト）をディスプレイ１４０に表示させる。そして、ユーザは、携帯端末装置１０を持ち替えて（図２（ｃ））、応答ボタンなどを押してレシーバ１６０に耳を近づけてハンドセット通話を行なう。
【００４３】
これに対して、図２（ａ）の状態から、引き続きデータのダウンロードを継続する場合には、携帯端末装置１０は、表示画面の表示方向を維持し（表示画面の上下方向を切り替えず）、把持方向を持ち替えるように促す情報も表示されない（図２（ｄ））。ここでは、データのダウンロードを継続する場合について説明したが、レシーバ１６０から音声が出力されない通信であれば、表示画面の上下方向の切り替えは行われない。
【００４４】
上記より、携帯端末装置１０は、レシーバ１６０の利用の有無によって、現在の表示画面の上下方向とは逆向きに表示画面の上下方向を切り替える必要があると判断した場合、表示画面の上下方向を切り替えるとともにユーザに携帯端末装置１０の把持方向を変更するように促す情報を表示させる。したがって、ユーザは、携帯端末装置１０の把持方向の変更をより促されることになる。
【００４５】
＜Ｂ．ハードウェア構成＞
実施の形態１に従う携帯端末装置１０のハードウェア構成について説明する。
【００４６】
図４は、実施の形態１に従う携帯端末装置１０のハードウェア構成を示すブロック図である。
【００４７】
図４を参照して、携帯端末装置１０は、主たる構成要素として、ＣＰＵ（Central  Processing  Unit）１００と、メモリ１１０と、タッチパネル１２０と、ボタン１３０と、ディスプレイ１４０と、マイク１５０と、スピーカ１７０と、レシーバ１６０と、第１の無線通信部１８０と、通信アンテナ１８２と、外部インターフェイス（Ｉ／Ｆ）１９０とを含む。
【００４８】
ＣＰＵ１００は、メモリ１１０に記憶されたプログラムを読み出して実行することで、携帯端末装置１０の各部の動作を制御する。より詳細にはＣＰＵ１００は、当該プログラムを実行することによって、後述する携帯端末装置１０の処理（ステップ）の各々を実現する。ＣＰＵ１００は、例えば、マイクロプロセッサ（Microprocessor）である。なお、当該ハードウェアは、ＣＰＵ以外のＦＰＧＡ（Field  Programmable  Gate Array）、ＡＳＩＣ（Application  Specific  Integrated  Circuit）およびその他の演算機能を有する回路などであってもよい。
【００４９】
メモリ１１０は、ＲＡＭ（Random  Access  Memory）、ＲＯＭ（Read-Only  Memory）、ハードディスクなどによって実現される。メモリ１１０は、ＣＰＵ１００によって実行されるプログラム、データなどを記憶する。
【００５０】
タッチパネル１２０は、表示部としての機能を有するディスプレイ１４０上に設けられる。タッチパネル１２０は、抵抗膜方式、表面弾性波方式、赤外線方式、電磁誘導方式、静電容量方式などのいずれのタイプであってもよいし、光センサ液晶を含んでもよい。タッチパネル１２０は、外部の物体によるタッチパネルへのタッチ操作を検知して、タッチ座標（タッチ位置）をＣＰＵ１００に入力する。
【００５１】
ボタン１３０は、携帯端末装置１０の本体部分の表面に配置されており、ユーザからの指示を受け付けて、ＣＰＵ１００に入力する。ボタン１３０は、例えば、表示画面を遷移させる画面遷移ボタン、確定ボタン、キャンセルボタンなどを含む。
【００５２】
ディスプレイ１４０は、ＣＰＵ１００からの信号に基づいて、表示画面に画像やテキストなどを表示する。
【００５３】
マイク１５０は、携帯端末装置１０に対する発話を受け付けて、発話された音声に対応する信号をＣＰＵ１００に送信する。
【００５４】
レシーバ１６０は、ＣＰＵ１００の指示に従って、ハンドセット通話の際に通話先から送信される音声信号に基づいて音声を出力する。また、レシーバ１６０は、ディスプレイ１４０の上下方向のいずれか一方であって、ディスプレイ１４０を挟むように通信アンテナ１８２に対向して配置される。
【００５５】
スピーカ１７０は、ＣＰＵ１００の指示に従って、例えば、レシーバ１６０より高い音圧レベルで音声を出力する。スピーカ１７０は、例えば、ハンズフリー通話の際に音声を出力する。
【００５６】
第１の無線通信部１８０は、通信アンテナ１８２を介して移動体通信網に接続し無線通信のための信号の送受信を行なう。すなわち、第１の無線通信部１８０は、ＣＰＵ１００からの通信データを通信信号に変換し、その通信信号を通信アンテナ１８２を介して送信したり、通信アンテナ１８２を介して受信した通信信号を通信データに変換し、その通信データをＣＰＵ１００に入力したりする。これにより、携帯端末装置１０は、たとえば、第３世代移動通信システム（３Ｇ）、ＬＴＥ（Long  Term  Evolution）などの移動体通信網を介して通信装置との通信が可能となる。また、通信アンテナ１８２は、ディスプレイ１４０の上下方向のいずれか一方であって、ディスプレイ１４０を挟むようにレシーバ１６０に対向して配置される。
【００５７】
外部インターフェイス（Ｉ／Ｆ）１９０は、例えば、メモリインターフェイスである。メモリインターフェイスは、外部の記憶媒体からデータを読み出す。すなわち、ＣＰＵ１００は、メモリインターフェイスを介して外部の記憶媒体に格納されているデータを読み出して、当該データをメモリ１１０に格納する。ＣＰＵ１００は、メモリ１１０からデータを読み出して、メモリインターフェイスを介して当該データを外部の記憶媒体に格納する。なお、記憶媒体としては、ＣＤ（Compact  Disc）、ＤＶＤ（Digital  Versatile  Disk）、ＢＤ（Blu-ray  Disc）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、ＥＰＲＯＭ、ＥＥＰＲＯＭ（Electronically  Erasable  Programmable  Read-Only  Memory）などの、不揮発的にプログラムを格納する媒体が挙げられる。
【００５８】
＜Ｃ．機能構成＞
次に、携帯端末装置１０の機能構成について説明する。
【００５９】
図５は、実施の形態１に従う携帯端末装置１０の機能ブロック図である。
図５を参照して、携帯端末装置１０は、その主たる機能構成として、通信制御部２１０と、音声制御部２２０と、判断部２３０と、表示制御部２４０と、設定部２５０とを含む。基本的には、これらの機能は、携帯端末装置１０のＣＰＵ１００がメモリ１１０に格納されたプログラムを実行し、携帯端末装置１０の構成要素へ指令を与えることなどによって実現される。すなわち、ＣＰＵ１００は携帯端末装置１０の動作全体を制御する制御部としての機能を有する。なお、これらの機能構成の一部または全部は、ハードウェアで実現されていてもよい。
【００６０】
通信制御部２１０は、通信アンテナ１８２を介した通信の制御を行なう。より具体的には、通信制御部２１０は、通信アンテナ１８２を介して受信した音声信号を音声制御部２２０に対して出力したり、音声制御部２２０から出力された音声信号を通信アンテナ１８２を介して外部に送信したりする。また、通信制御部２１０は、携帯端末装置１０の通信状態として、通信アンテナ１８２を介して通信をしているのか否かを示す情報を判断部２３０に対して出力する。なお、通信制御部２１０は、主に、ＣＰＵ１００と第１の無線通信部１８０とが連係して動作することで実現される機能である。
【００６１】
音声制御部２２０は、通信制御部２１０を介して受信した音声信号に対して音声処理を行ない、処理後の音声をレシーバ１６０またはスピーカ１７０に出力させる。音声制御部２２０は、メモリ１１０を参照して、例えば、携帯端末装置１０がハンドセット通話モードに設定されている場合には音声をレシーバ１６０に出力させ、ハンズフリー通話モードに設定されている場合には音声をスピーカ１７０に出力させる。また、音声制御部２２０は、アプリケーションごとに予め定められた設定に基づいて、音声をレシーバ１６０またはスピーカ１７０に出力させてもよい。また、音声制御部２２０は、音声出力状態として音声をレシーバ１６０から出力させるのか、スピーカ１７０から出力させるのかを示す情報を判断部２３０に対して出力する。
【００６２】
判断部２３０は、通信制御部２１０から出力（送信）された携帯端末装置１０の通信状態、および音声制御部２２０から出力（送信）された音声出力状態に基づいて、携帯端末装置１０がレシーバ１６０から音声が出力される通信をするか否かを判断する。より具体的には、判断部２３０は、通信アンテナ１８２を介して携帯端末装置１０が通信をしており、かつ音声がレシーバ１６０から出力される状態であるのか否かを判断する。判断部２３０は、当該判断結果を表示制御部２４０に対して出力する。
【００６３】
表示制御部２４０は、判断部２３０から出力された判断結果に基づいて、ディスプレイ１４０の表示画面の上下方向を切り替える。表示制御部２４０は、ある局面では、携帯端末装置１０がレシーバ１６０から音声が出力されない通信をする場合には表示画面の上方向が通信アンテナ１８２側になるように表示させ、携帯端末装置１０がレシーバ１６０から音声が出力される通信をする場合には表示画面の下方向が通信アンテナ１８２側になるように表示させる。
【００６４】
表示制御部２４０は、別の局面では、判断部２３０の判断結果とメモリ１１０に格納された、現在の表示画面の上下方向を識別するための識別情報とに基づいて、現在の表示画面の上下方向とは逆向きに表示画面の上下方向を切り替えるか否かを判断する。そして、表示制御部２４０は、現在の表示画面の上下方向とは逆向きに表示画面の上下方向を切り替えると判断した場合、表示画面の上下方向を切り替えるとともにユーザに携帯端末装置１０の把持方向の変更を促すための情報をディスプレイ１４０に表示させる。例えば、メモリ１１０は、現在の表示画面の状態が表示方式Ａの場合には識別情報としてのフラグが立った状態で格納し、表示方式Ｂの場合にはフラグが立っていない状態で格納する。したがって、表示制御部２４０は、メモリ１１０を参照して、フラグの状態を確認することにより現在の表示画面の上下方向を判断することができる。
【００６５】
表示制御部２４０は、さらに別の局面では、メモリ１１０を参照して、初期画面（ホーム画面）を設定部２５０によって設定された上下方向に従って表示させる。
【００６６】
設定部２５０は、タッチパネル１２０（またはボタン１３０）を介したユーザからの指示に従って、初期画面の上下方向の設定を受け付けて、当該設定をメモリ１１０に登録する。また、設定部２５０は、ユーザからの指示に従ってハンドセット通話モードまたはハンズフリー通話モードのモード設定を受け付けて当該設定をメモリ１１０に登録してもよい。設定部２５０は、例えば、上記設定を行なうためのユーザインターフェイス画面上でユーザからの指示を受け付ける。
【００６７】
＜Ｄ．処理例＞
次に、携帯端末装置１０が実行する表示処理手順について説明する。
【００６８】
図６は、実施の形態１に従う携帯端末装置１０が実行する表示処理手順を示すフローチャートである。なお、初期状態においては、携帯端末装置１０は、表示画面の上方向がレシーバ１６０側であり、表示画面の下方向が通信アンテナ１８２側である表示方式Ａでホーム画面が表示されているものとする（図２（ａ）の状態）。
【００６９】
図６を参照して、ＣＰＵ１００は、通信アンテナ１８２を介して無線通信を開始するか否かを判断する（ステップＳ１０２）。例えば、ＣＰＵ１００は、タッチパネル１２０を介してユーザからの無線通信の開始指示（または通信用のアプリケーションの起動指示など）を受け付けたか否かにより当該判断を行なう。ＣＰＵ１００は、無線通信を開始しない場合には（ステップＳ１０２においてＮＯの場合）、ステップＳ１０２の処理を繰り返す。これに対して、ＣＰＵ１００は、無線通信を開始する場合には（ステップＳ１０２においてＹＥＳの場合）、当該無線通信がレシーバ１６０から音声が出力される通信であるか否かを判断する（ステップＳ１０４）。より具体的には、ＣＰＵ１００は、ハンズフリー通話、コンテンツのダウンロードなどのようにレシーバ１６０からの音声出力を伴わない通信なのか、ハンドセット通話のようにレシーバ１６０からの音声出力を伴う通信なのかを判断する。
【００７０】
レシーバ１６０から音声が出力されない通信である場合には（ステップＳ１０４においてＮＯの場合）、ＣＰＵ１００は、表示画面の上下方向を切り替える（ステップＳ１０８）。換言すると、ＣＰＵ１００は、表示画面を表示方式Ａから表示方式Ｂに切り替える（図２（ｂ）の状態）。このとき、ＣＰＵ１００は、ユーザに携帯端末装置１０の把持方向の変更を促すための情報をディスプレイ１４０に表示させてもよい。これに対して、レシーバ１６０から音声が出力される通信である場合には（ステップＳ１０４においてＹＥＳの場合）、ＣＰＵ１００は、表示画面の上下方向を切り替えない（ステップＳ１０６）。換言すると、ＣＰＵ１００は、表示画面を表示方式Ａのまま維持する。
【００７１】
次に、ＣＰＵ１００は、表示画面をホーム画面の表示方式（ホーム画面において設定された表示方式）で表示させるか否かを判断する（ステップＳ１１０）。例えば、ＣＰＵ１００は、予め設定された一定時間が経過した場合、タッチパネル１２０を介してユーザからホーム画面に戻す指示を受け付けた場合、ディスプレイ１４０のライトが消灯した場合、現在起動中のアプリケーションを終了させた場合などに、表示画面をホーム画面の表示方式で表示させると判断する。上記のうち、どの場合にホーム画面の表示方式に戻すかはユーザが任意に設定できるものとする。
【００７２】
ＣＰＵ１００は、ホーム画面の表示方式にしない場合には（ステップＳ１１０においてＮＯの場合）、ステップＳ１１０の処理を繰り返す。これに対して、ＣＰＵ１００は、ホーム画面の表示方式にする場合には（ステップＳ１１０においてＹＥＳの場合）、表示画面をホーム画面の表示方式Ａで表示させる（ステップＳ１１４）。より具体的には、ＣＰＵ１００は、表示画面を切り替えていない場合には（ステップＳ１０６の場合）、表示画面を表示方式Ａのまま維持し、表示画面を切り替えている場合には（ステップＳ１０８の場合）、表示画面を表示方式Ｂから表示方式Ａに戻す（切り替える）。
【００７３】
そして、ＣＰＵ１００は、処理を終了するか否かを判断する（ステップＳ１１４）。ＣＰＵ１００は、例えば、ユーザにより終了指示を受け付けたか否かにより当該判断を行なう。ＣＰＵ１００は、終了指示を受け付けていない場合には（ステップＳ１１４においてＮＯの場合）、ステップＳ１０２からの処理を繰り返す。これに対して、ＣＰＵ１００は、終了指示を受け付けた場合には（ステップＳ１１４においてＹＥＳの場合）、処理を終了する。
【００７４】
なお、上記において、ユーザ設定によるホーム画面が表示方式Ｂにされている場合には、ＣＰＵ１００は、ステップＳ１０６において、表示画面の上下方向を切り替え（表示方式Ｂから表示方式Ａに切り替え）、ステップＳ１０８において、表示画面の上下方向を切り替えない（表示方式Ｂを維持する）処理を実行することは言うまでもない。
【００７５】
＜Ｅ．利点＞
実施の形態１によると、通信内容に応じて、表示画面の上下方向を切り替えることでユーザに携帯端末装置１０を適切に把持させるように促すことによって、より効率的な無線通信が可能となる。また、表示画面の上下方向の切り替えが必要な場合には表示画面に把持方向の変更を促す情報が表示されるため、ユーザはよりスムーズに把持方向を変更することができる。
【００７６】
また、人体の影響が少ないアンテナを選択して切り替えるための複数のアンテナを用意する必要がないため、製品の小型化、コスト面で優れている。さらに、携帯端末装置の把持方向の変更により通信アンテナの性能が改善されるため、送信電力（消費電力）が抑制され、バッテリーの消耗を抑えることができる。
【００７７】
［２．実施の形態２］
＜Ａ．概要＞
次に、本発明の実施の形態２に従う携帯端末装置１０Ａの全体構成および動作概要について説明する。概略的には、実施の形態２に従う携帯端末装置１０Ａは、実施の形態１に従う携帯端末装置１０に対して、送信電力が比較的小さい通信アンテナをさらに含む点で異なる。
【００７８】
（ａ１．全体構成）
実施の形態２に従う携帯端末装置１０Ａの全体構成について説明する。
【００７９】
図７は、実施の形態２に従う携帯端末装置１０Ａの外観を示す模式図である。
携帯端末装置１０Ａは、通信アンテナ３０２が追加されている以外、図１に示す携帯端末装置１０と同じ構成であるため、同一部分についてはその詳細な説明は繰り返さない。
【００８０】
図７を参照して、通信アンテナ３０２は、レシーバ１６０と同様にディスプレイ１４０の上方向に配置される。すなわち、通信アンテナ３０２は、ディスプレイ１４０を挟むように通信アンテナ１８２と対向して配置される。通信アンテナ３０２は、移動体通信網に接続するための通信アンテナ１８２のように送信電力が大きいものではなく、例えば、無線ＬＡＮ（Local  Area  Network）に接続するために用いられる送信電力が比較的小さい所定値未満のものである。所定値未満の送信電力とは、ユーザが通信アンテナ３０２を介したハンドセット通話をした場合であっても、上述したＳＡＲの許容値を超えない範囲の送信電力である。なお、通信アンテナ３０２は、通信アンテナ１８２と同様に携帯端末装置１０Ａの筐体内部に配置される。
【００８１】
（ａ２．動作概要）
次に、実施の形態２に従う携帯端末装置１０Ａの動作概要について説明する。
【００８２】
図８は、実施の形態２に従う携帯端末装置１０Ａの動作概要を説明するための図である。
【００８３】
図８を参照して、ユーザは、携帯端末装置１０Ａの下部を把持しており、ディスプレイ１４０には、表示方式Ａでホーム画面が表示されている（図８（ａ））。図８（ａ）の状態において、携帯端末装置１０Ａが、レシーバ１６０から音声が出力される通信をする場合には、表示画面の上下方向を切り替えない。すなわち、携帯端末装置１０Ａは、通信アンテナ１８２を利用した移動体通信網経由、通信アンテナ３０２を利用した無線ＬＡＮ経由のいずれであっても、レシーバ１６０から音声が出力される場合には、表示画面の上下方向を切り替えない（表示方式Ａを維持する）。また、携帯端末装置１０Ａは、通信アンテナ３０２のみを介してレシーバ１６０から音声が出力されない通信をする場合にも、表示画面の上下方向を切り替えない。これは、図８（ａ）の状態では、ユーザの手が通信アンテナ３０２から離れた場所に位置していることから、通信アンテナ３０２を介した通信をより効率的に行なうためである。なお、携帯端末装置１０Ａが通信アンテナ３０２のみを介してレシーバ１６０から音声が出力されない通信をする場合とは、例えば、携帯端末装置１０が無線ＬＡＮ経由でコンテンツのダウンロードなどを実行する場合である。
【００８４】
これに対して、携帯端末装置１０Ａは、通信アンテナ１８２のみを介してレシーバ１６０から音声が出力されない通信をする場合には、図８（ｂ）のように表示画面の上下方向を切り替える（表示方式Ａから表示方式Ｂに切り替える）。
【００８５】
または、通信アンテナ１８２および通信アンテナ３０２を介してレシーバ１６０から音声が出力されない通信をする場合にも、図８（ｂ）のように表示画面の上下方向を切り替えてもよい。これは、通信アンテナ３０２を介した通信よりも通信アンテナ１８２を介した通信を優先して利用するためである。ただし、この場合には、携帯端末装置１０Ａは、ユーザが任意に予め設定した上下方向に従って画面を表示させてもよい。なお、通信アンテナ１８２および通信アンテナ３０２を介して、レシーバ１６０から音声が出力されない通信をする場合とは、例えば、携帯端末装置１０Ａが、無線ＬＡＮと移動体通信網とを利用するデザリング機能を実行する場合などである。
【００８６】
＜Ｂ．ハードウェア構成＞
実施の形態２に従う携帯端末装置１０Ａのハードウェア構成について説明する。
【００８７】
図９は、実施の形態２に従う携帯端末装置１０Ａのハードウェア構成を示すブロック図である。
【００８８】
図９を参照して、携帯端末装置１０Ａは、主たる構成要素として、ＣＰＵ１００と、メモリ１１０と、タッチパネル１２０と、ボタン１３０と、ディスプレイ１４０と、マイク１５０と、レシーバ１６０と、スピーカ１７０と、第１の無線通信部１８０と、通信アンテナ１８２と、外部インターフェイス（Ｉ／Ｆ）１９０と、第２の無線通信部３００と、通信アンテナ３０２とを含む。すなわち、携帯端末装置１０Ａは、第２の無線通信部３００と、通信アンテナ３０２とが携帯端末装置１０に追加された点で、携帯端末装置１０とは異なる。したがって、携帯端末装置１０と同一部分についてはその詳細な説明は繰り返さない。
【００８９】
第２の無線通信部３００は、送信電力が比較的小さい通信アンテナ３０２を介して無線通信のための信号の送受信を行なう。第２の無線通信部３００は、ＣＰＵ１００からの通信データを通信信号に変換し、その通信信号を通信アンテナ３０２を介して送信したり、通信アンテナ３０２を介して受信した通信信号を通信データに変換し、その通信データをＣＰＵ１００に入力したりする。第２の無線通信部は、通信方式として、Ｂｌｕｅｔｏｏｔｈ（登録商標）、無線ＬＡＮ（Local  Area  Network）などを利用した無線通信を行なう。なお、通信アンテナ３０２は、ＧＰＳ（Global Positioning System）受信アンテナ、デジタルテレビ受信アンテナなどのような受信専用アンテナであってもよい。通信アンテナ３０２は、ディスプレイ１４０の上下方向のいずれか一方であって、ディスプレイ１４０を挟むように通信アンテナ１８２に対向して配置される。
【００９０】
＜Ｃ．機能構成＞
携帯端末装置１０Ａの主な機能構成について説明する。
【００９１】
図１０は、実施の形態２に従う携帯端末装置１０Ａの主な機能構成を示すブロック図である。
【００９２】
図１０を参照して、携帯端末装置１０Ａは、その主たる機能構成としては、通信制御部２１０Ａと、音声制御部２２０Ａと、判断部２３０Ａと、表示制御部２４０Ａと、設定部２５０Ａとを含む。基本的には、携帯端末装置１０ＡのＣＰＵ１００がメモリ１１０に格納されたプログラムを実行し、携帯端末装置１０Ａの構成要素へ指令を与えることなどによって実現される。すなわち、ＣＰＵ１００は携帯端末装置１０Ａの動作全体を制御する制御部としての機能を有する。なお、これらの機能構成の一部または全部は、ハードウェアで実現されていてもよい。
【００９３】
通信制御部２１０Ａは、通信アンテナ１８２または通信アンテナ３０２を介して受信した音声信号を音声制御部２２０に対して出力したり、音声制御部２２０から出力された音声信号を通信アンテナ１８２または通信アンテナ３０２を介して外部に送信したりする。また、通信制御部２１０Ａは、携帯端末装置１０Ａの通信状態として、通信アンテナ１８２のみを介して通信をするのか、通信アンテナ３０２のみを介して通信をするのか、あるいは通信アンテナ１８２および通信アンテナ３０２を介して通信をするのかを示す情報を判断部２３０Ａに対して出力する。なお、通信制御部２１０Ａは、主に、ＣＰＵ１００と第１の無線通信部１８０と第２の無線通信部３００とが連係して動作することで実現される機能である。
【００９４】
音声制御部２２０Ａは、基本的に音声制御部２２０の機能と同様である。音声制御部２２０Ａは、音声出力状態として音声をレシーバ１６０から出力させるのか、スピーカ１７０から出力させるのかを示す情報を判断部２３０Ａに対して出力する。
【００９５】
判断部２３０Ａは、通信制御部２１０Ａから出力（送信）された携帯端末装置１０Ａの通信状態、および音声制御部２２０から出力（送信）された音声出力状態に基づいて、携帯端末装置１０Ａが、レシーバ１６０から音声が出力される通信をするか否かを判断する。より具体的には、判断部２３０Ａは、通信アンテナ１８２および通信アンテナ３０２のうちいずれの通信アンテナを介して携帯端末装置１０Ａが通信をするのかを判断するとともに、音声がレシーバ１６０から出力される状態であるのか否かを判断する。判断部２３０Ａは、当該判断結果を表示制御部２４０Ａに対して出力する。
【００９６】
表示制御部２４０Ａは、判断部２３０Ａの判断結果に基づいて、ディスプレイ１４０の表示画面の上下方向を切り替える。より具体的には、表示制御部２４０Ａは、ある局面では、携帯端末装置１０が通信アンテナ３０２を介して通信する場合には、表示画面の下方向が通信アンテナ１８２側になるように表示させる。
【００９７】
また、表示制御部２４０Ａは、別の局面では、携帯端末装置１０が通信アンテナ１８２または通信アンテナ３０２を介してレシーバ１６０から音声が出力される通信をする場合には、表示画面の下方向が通信アンテナ１８２側になるように表示させる。表示制御部２４０Ａは、携帯端末装置１０が通信アンテナ１８２および通信アンテナ３０２を介してレシーバ１６０から音声が出力されない通信をする場合には、メモリ１１０を参照して、予めユーザによって設定された上下方向にしたがって、表示画面を表示させる。
【００９８】
また、表示制御部２４０Ａは、通信アンテナ１８２のみを介してレシーバ１６０から音声が出力されない通信をする場合には表示画面の上方向が通信アンテナ１８２側になるように表示させる。
【００９９】
なお、表示制御部２４０Ａは、携帯端末装置１０における表示制御部２４０と同様に、ユーザに把持方向の変更を促すための情報をディスプレイ１４０に表示させたり、初期画面を設定された上下方向に従って表示させたりする機能を有する。
【０１００】
設定部２５０Ａは、携帯端末装置１０が通信アンテナ１８２および３０２を介してレシーバ１６０から音声が出力されない通信をする場合における表示方式（表示画面の上下方向）の設定をユーザから受け付けて、当該設定をメモリ１１０に登録する。また、設定部２５０Ａは、設定部２５０と同様に、ユーザから初期画面の上下方向の設定、モード設定を受け付けてメモリ１１０に登録する。
【０１０１】
＜Ｄ．処理例＞
次に、携帯端末装置１０Ａが実行する表示処理手順について説明する。
【０１０２】
図１１は、実施の形態２に従う携帯端末装置１０が実行する表示処理手順を示すフローチャートである。なお、初期状態においては、携帯端末装置１０Ａは、表示方式Ａでホーム画面が表示されているものとする（図８（ａ）の状態）。また、以下では、説明のため、通信アンテナ１８２を第１のアンテナ、通信アンテナ３０２を第２の通信アンテナと称す。
【０１０３】
図１１を参照して、ＣＰＵ１００は、無線通信を開始するか否かを判断する（ステップＳ２００）。より具体的には、ＣＰＵ１００は、第１および第２の通信アンテナのうち少なくとも一方を介して無線通信を開始するか否かを判断する。ＣＰＵ１００は、無線通信を開始しない場合には（ステップＳ２００においてＮＯの場合）、ステップＳ２００の処理を繰り返す。これに対して、ＣＰＵ１００は、無線通信を開始する場合には（ステップＳ２００においてＹＥＳの場合）、当該無線通信がレシーバ１６０から音声が出力される通信であるか否かを判断する（ステップＳ２０１）。レシーバ１６０から音声が出力される通信である場合には（ステップＳ２０１においてＹＥＳの場合）、ＣＰＵ１００は、表示画面の上下方向を切り替えず、表示画面を表示方式Ａのまま維持する（ステップＳ１０６）。そして、ＣＰＵ１００は、ステップＳ１１０以降の処理を実行する。ステップＳ１１０以降の処理については、図６で説明した処理と同様であるため、その詳細な説明は繰り返さない。
【０１０４】
これに対して、レシーバ１６０から音声が出力されない通信である場合には（ステップＳ２０１においてＮＯの場合）、ＣＰＵ１００は、第１の通信アンテナを介した通信か否かを判断する（ステップＳ２０２）。
【０１０５】
第１の通信アンテナを介した通信ではない（すなわち、第２の通信アンテナのみを介した通信である）場合には（ステップＳ２０２においてＮＯの場合）、ＣＰＵ１００は、表示画面の上下方向を切り替えず（ステップＳ１０６）、ステップＳ１１０以降の処理を実行する。これに対して、第１の通信アンテナを介した通信である場合には（ステップＳ２０２においてＹＥＳの場合）、ＣＰＵ１００は、第２の通信アンテナを介した通信か否かを判断する（ステップＳ２０４）。
【０１０６】
第２の通信アンテナを介した通信ではない（すなわち、第１の通信アンテナのみを介した通信である）場合には（ステップＳ２０４においてＮＯの場合）、ＣＰＵ１００は、表示画面の上下方向を切り替えて表示方式Ａから表示方式Ｂにする（ステップＳ１０８）。このとき、ＣＰＵ１００は、ユーザに携帯端末装置１０の把持方向の変更を促すための情報をディスプレイ１４０に表示させてもよい。そして、ＣＰＵ１００は、ステップＳ１１０以降の処理を実行する。
【０１０７】
これに対して、第２の通信アンテナを介した通信である（すなわち、第１および第２の通信アンテナを介した通信である）場合には（ステップＳ２０４においてＹＥＳの場合）、ＣＰＵ１００は、メモリ１１０を参照して、ユーザによって予め設定された表示画面の表示方式が表示方式Ａであるか否かを判断する（ステップＳ２０６）。
【０１０８】
表示方式Ａが設定されている場合には（ステップＳ２０６においてＹＥＳの場合）、ＣＰＵ１００は、表示画面の上下方向を切り替えず（ステップＳ１０６）、ステップＳ１１０以降の処理を実行する。これに対して、表示方式Ｂが設定されている場合には（ステップＳ２０６においてＮＯの場合）、ＣＰＵ１００は、表示画面の上下方向を切り替えて（ステップＳ１０８）、ステップＳ１１０以降の処理を実行する。
【０１０９】
なお、上記の実施の形態２においても、ユーザ設定によるホーム画面が表示方式Ｂにされている場合には、ＣＰＵ１００は、ステップＳ１０６において、表示画面の上下方向を切り替え（表示方式Ｂから表示方式Ａに切り替え）、ステップＳ１０８において、表示画面の上下方向を切り替えない（表示方式Ｂを維持する）処理を実行することは言うまでもない。
【０１１０】
＜Ｅ．利点＞
実施の形態２においても、通信内容に応じて、表示画面の上下方向を切り替えることでユーザに携帯端末装置１０を適切に把持させるように促すことによって、より効率的な無線通信が可能となる。また、各々の通信アンテナの特性を生かすことができるため、電波環境に応じた送信電力（消費電力）が抑制され、バッテリーの消耗を抑えることが可能となる。
【０１１１】
［３．その他の実施の形態］
なお、コンピュータを機能させて、上述のフローチャートで説明したような制御を実行させるプログラムを提供することもできる。このようなプログラムは、コンピュータに付属するフレキシブルディスク、ＣＤ−ＲＯＭ（Compact  Disk  Read  Only  Memory）、ＲＯＭ、ＲＡＭおよびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１１２】
プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本実施の形態にかかるプログラムに含まれ得る。
【０１１３】
また、本実施の形態にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本実施の形態にかかるプログラムに含まれ得る。
【０１１４】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１１５】
１０，１０Ａ  携帯端末装置、１００  ＣＰＵ、１１０  メモリ、１２０  タッチパネル、１３０  ボタン、１４０  ディスプレイ、１５０  マイク、１６０  レシーバ、１７０  スピーカ、１８０  第１の無線通信部、１８２，３０２  通信アンテナ、２１０，２１０Ａ  通信制御部、２２０，２２０Ａ  音声制御部、２３０，２３０Ａ  判断部、２４０，２４０Ａ  表示制御部、２５０，２５０Ａ  設定部、３００  第２の無線通信部。
【図１】
2014045263.tif 000003
【図２】
2014045263.tif 000004
【図３】
2014045263.tif 000005
【図４】
2014045263.tif 000006
【図５】
2014045263.tif 000007
【図６】
2014045263.tif 000008
【図７】
2014045263.tif 000009
【図８】
2014045263.tif 000010
【図９】
2014045263.tif 000011
【図１０】
2014045263.tif 000012
【図１１】
2014045263.tif 000013